(57)【要約】【課題】消費者に広告の掲載内容をよく見てもらうことに加えて、複数の広告主を参加させて、懸賞に応募した消費者に供与する賞品や賞金を各広告主に負担させ、懸賞にかかる各広告主の経費負担を軽減する。【解決手段】懸賞広告としての広告媒体に掲載される懸賞参加情報を、登録して賃貸契約した広告主に発行すると共に、該懸賞参加情報に基づいてネットワーク上で抽選を開催して消費者の募集を行い、しかも、懸賞に応募してきた消費者に対し懸賞参加情報に合わせて抽選コードを発行すると共に、抽選コードを集計して抽選処理を行い、且つ、当選した消費者に当選通知を行い、さらに、懸賞に応募してきた消費者の個人情報及び希望情報を顧客情報として登録すると共に、登録された消費者の顧客情報のうち年齢、性別、希望情報を、懸賞に応募してきた消費者の懸賞参加情報を賃貸契約した広告主にそれぞれ通知する。【選択図】    図２
2004318471.tif 000002
【特許請求の範囲】
【請求項１】
懸賞広告としての広告媒体に掲載される懸賞参加情報が、登録して賃貸契約した広告主に発行されると共に、該懸賞参加情報に基づいてネットワーク上で抽選を開催して消費者の募集が行われ、しかも、懸賞に応募してきた消費者に対し懸賞参加情報に合わせて抽選コードが発行されると共に、該抽選コードを集計して抽選処理が行われ、且つ、当選通知が、当選した消費者に通知され、さらに、懸賞に応募してきた消費者の個人情報及び希望情報が顧客情報として登録されると共に、登録された消費者の顧客情報のうち年齢、性別、希望情報を、懸賞に応募してきた消費者の懸賞参加情報を賃貸契約した広告主がそれぞれ閲覧できるように構成されてなることを特徴とする懸賞広告による顧客情報収集仲介システム。
【請求項２】
前記懸賞参加情報は、消費者が懸賞広告の抽選に参加するための懸賞参加用アドレスと、登録年月日、登録された広告主の識別、広告主自身による広告媒体の種類や配布地域などの識別を行うため、及び、前記抽選コードを、懸賞に応募してきた消費者に発行するための登録コードとから構成され、しかも、前記懸賞参加用アドレスは、広告主に共通して賃貸発行されると共に、前記登録コードは、広告媒体の前記識別条件によって賃貸発行本数が決定され、さらに、懸賞参加情報を賃貸契約した広告主に対して賃貸料の支払い通知が行われると共に、広告主の懸賞参加情報の賃貸によって収集した賃貸料の一部又は全てが、当選した消費者に対して発送される賞金や賞品に宛がわれるように構成されてなることを特徴とする請求項１に記載の懸賞広告による顧客情報収集仲介システム。
【発明の詳細な説明】
【０００１】
【発明の属する技術分野】
本発明は、登録された広告主の広告媒体を懸賞広告にして消費者の顧客情報を収集し、該顧客情報を収集データとして広告主に通知する懸賞広告による顧客情報収集仲介システムに関する。
【０００２】
【従来の技術】
従来の懸賞広告システムは、例えば、特開２００２−１３３０６９号に示すように、懸賞広告としての広告媒体に付与された懸賞参加情報に基づいてアクセスしてきた消費者に抽選コードを発行し、該抽選コードを持つ消費者に対して抽選処理を行っている。
【０００３】
そして、抽選に応募した消費者の個人情報をデータベース化し、広告主がデータベース化された顧客情報を効率よく取得できるようになっている。また、懸賞広告にすることで、少しでも消費者の視線が広告にいくようにして、消費者が広告をできるだけ長く保管し、消費者に広告の掲載内容をよく見てもらう効果がある。
【０００４】
【発明が解決しようとする課題】
しかしながら、前記従来の懸賞広告による顧客情報収集仲介システムの場合、複数の広告主が参加していないため、一つの広告主が、抽選を主催しなければならず、当選した消費者に対して供与する賞品や賞金も負担する必要があるという問題がある。
【０００５】
そこで、本発明は上記問題点に鑑み、少しでも消費者の視線が広告にいくようにして、消費者が広告をできるだけ長く保管し、消費者に広告の掲載内容をよく見てもらうようにすることに加えて、複数の広告主を参加させると共に、懸賞に応募した消費者に供与する賞品や賞金を参加した複数の広告主に負担させ、懸賞にかかる各広告主の経費負担を軽減できる懸賞広告による顧客情報収集仲介システム仲介システムを提供することを目的とする。
【０００６】
【課題を解決するための手段】
上記課題を解決するために、本発明の懸賞広告による顧客情報収集仲介システムは、請求項１に示す如く、懸賞広告としての広告媒体に掲載される懸賞参加情報が、登録して賃貸契約した広告主に発行されると共に、該懸賞参加情報に基づいてネットワーク上で抽選を開催して消費者の募集が行われ、しかも、懸賞に応募してきた消費者に対し懸賞参加情報に合わせて抽選コードが発行されると共に、該抽選コードを集計して抽選処理が行われ、且つ、当選通知が、当選した消費者に通知され、さらに、懸賞に応募してきた消費者の個人情報及び希望情報が顧客情報として登録されると共に、登録された消費者の顧客情報のうち年齢、性別、希望情報を、懸賞に応募してきた消費者の懸賞参加情報を賃貸契約した広告主がそれぞれ閲覧できるように構成されてなるものである。
【０００７】
したがって、懸賞広告としての広告媒体に掲載される懸賞参加情報を、登録して賃貸契約した広告主に発行することによって、広告主自身が、懸賞広告にして抽選を行うよりも安価にシステムを構築できる。
【０００８】
また、懸賞参加情報に基づいてネットワーク上で抽選を開催して消費者の募集を行うようにしたため、広告主は、自己の懸賞広告における消費者の反応を直接感じることができる。
【０００９】
しかも、懸賞に応募してきた消費者に対し懸賞参加情報に合わせて抽選コードを発行すると共に、該抽選コードを集計して抽選処理を行うようにしたので、懸賞参加情報の掲載された懸賞広告が消費者の口コミで広まるようになる。
【００１０】
さらに、懸賞に応募してきた消費者の個人情報及び希望情報を顧客情報として登録すると共に、登録された消費者の顧客情報のうち年齢、性別、希望情報が、懸賞に応募してきた消費者の懸賞参加情報を賃貸契約した広告主がそれぞれ閲覧できるようにしたため、仲介業者は、消費者の顧客情報が他に洩れないように管理できると共に、広告主は、どの地域の、どの年齢層の男性又は女性が懸賞広告に応募しているのかなど市場の生データとして知ることができる。
【００１１】
また、請求項２に示す如く、前記懸賞参加情報を、消費者が懸賞広告の抽選に参加するための懸賞参加用アドレスと、登録年月日、登録された広告主の識別、広告主自身による広告媒体の種類や配布地域などの識別を行うため、及び、前記抽選コードを、懸賞に応募してきた消費者に発行するための登録コードとから構成し、前記懸賞参加用アドレスを、広告主に共通して賃貸発行すると共に、前記登録コードを、広告媒体の前記識別条件によって賃貸発行本数を決定し、懸賞参加情報を賃貸契約した広告主に対して賃貸料の支払い通知を行うと共に、広告主の懸賞参加情報の賃貸によって収集した賃貸料の一部又は全てを、当選した消費者に対して発送される賞金や賞品に宛がうようにしたものである。
【００１２】
よって、消費者が懸賞広告の抽選に参加するための懸賞参加の必須条件として、懸賞参加用アドレスを賃貸することで、仲介業者は、広告主からの賃貸料を確保できる。
【００１３】
また、懸賞参加情報の登録コードの一つ目の機能として、登録年月日、登録された広告主の識別、広告主自身による広告媒体の種類や配布地域などの識別を行うことができるため、仲介業者による広告主の管理と、広告主による懸賞広告の管理とが実現できる。さらに、懸賞参加情報の登録コードの二つ目の機能として、懸賞参加情報に合わせて懸賞に応募してきた消費者に抽選コードを発行するため、懸賞に応募してきた消費者を確実に集計して抽選処理できる。懸賞加情報を賃貸契約した広告主が消費者の抽選コードに基づいて特定できる。
【００１４】
さらに、広告媒体の識別条件によって懸賞参加情報の登録コードの賃貸発行本数を決定するようにしたので、広告主は、自己の懸賞広告の種類、懸賞広告の配布される地域などの分析資料になる。
【００１５】
加えて、懸賞参加情報を賃貸契約した広告主に対して賃貸料の支払いが義務付けられるため、仲介業者は、消費者に支給する賞金や賞品の費用を、懸賞参加情報によって広告主から確実に徴収できる。
【００１６】
また、広告主の懸賞参加情報の賃貸によって収集した賃貸料の一部又は全てを、当選した消費者に対して発送される賞金や賞品に宛がうようにしたため、広告主からの集金状態に合った賞金や賞品が仲介業者を介して消費者に発送されることになる。
【００１７】
【発明の実施の形態】
本発明の一実施形態につき、図１〜図２３を参照して説明する。
本発明の懸賞広告による顧客情報収集仲介システムの全体構成は、例えば、図１に示すように、ネットワーク１上で運営される仲介業者の管理サーバ２に、広告主の所有する携帯電話やパソコンなどの端末装置３，…と、消費者の所有する携帯電話やパソコンなどの端末装置４，…とが通信回線を介して相互に接続されて構成されている。
【００１８】
本システムの概要は、図２に示すように、複数の広告主を参加させると共に、懸賞に応募した複数の消費者に供与する賞品や賞金を、参加した複数の広告主から徴収した賃貸料から配分して、懸賞にかかる各広告主の経費負担を軽減し、さらに、少しでも消費者の視線が広告媒体にいくようにして、広告媒体が消費者によってできるだけ長く保管されると共に、広告媒体の掲載内容を消費者によく見てもらえるようにし、且つ、懸賞に応募してきた消費者の顧客情報を効率よく収集できるようにしたものである。ここでいう、広告媒体とは、図３に示すように、新聞、看板、広告、チラシ、名刺、カード、はがき、封書、販売商品、インターネットのホームページ、テレビやラジオのコマーシャルなどである。
【００１９】
管理サーバ２は、データ送受信部と、Ｗｅｂページ表示部と、本システムの概要説明閲覧部と、広告主の登録処理及び契約申し込み処理部と、広告主のリスト閲覧部と、消費者の登録処理部と、広告主及び消費者のパスワード発行部と、広告主及び消費者のログイン認証部と、広告主の懸賞広告としての広告媒体に掲載される懸賞参加情報発行部と、懸賞に参加した消費者に発行される抽選コード発行部と、該抽選コードを集計して抽選処理を行う抽選処理部と、広告主への賃貸料金支払い通知部と、広告主への使用料金支払い通知部と、消費者への当選懸賞の送付通知及び受け取り確認部と、仲介業者のデータ管理部とを備えている（図示せず）。なお、管理サーバを介して消費者、広告主、仲介業者間で送受信される情報は、暗号化処理されることで保護されている。
【００２０】
データ送受信部は、ネットワーク１を介して広告主の端末装置３，…や消費者の端末装置４，…に対してデータを送受信する。
【００２１】
Ｗｅｂページ表示部は、以下に説明するＷｅｂページをネットワーク１上に配信して表示させる。図４に示すトップページと、本システムの概要説明の閲覧ページと、消費者の案内ページと、消費者の規約の閲覧ページと、図１５に示す消費者の登録ページと、広告主の案内ページと、図２３に示す仲介業者及び広告主の管理ページと、図７に示す広告主の登録・契約申し込みページと、図５（Ａ）に示す広告主及び消費者の抽選内容の閲覧ページと、図５（Ｂ）に示す当選者リストの閲覧ページと、図１３に示す広告主のリスト閲覧ページと、図１７、図２０、図２２に示す仲介業者の管理ページとから構成されている。なお、トップページは、上述した各ページとリンクしている。
【００２２】
本システムの概要説明閲覧部は、例えば、Ｗｅｂページ表示部により、概要説明の閲覧ページが表示される（図示せず）。懸賞に応募した消費者は、懸賞広告に掲載されている懸賞参加情報を入力するだけで、抽選されて賞金や賞品が貰えること、この賞金や賞品が、参加した広告主によって支払われる懸賞参加情報の賃貸料金の一部又は全てから宛がわれること、さらに、懸賞に参加した消費者の年齢、性別、希望情報が広告主へ通知されることが概略説明されている。
【００２３】
広告主の契約申し込み処理及び登録処理部は、例えば、Ｗｅｂページ表示部により、広告主の案内ページが初めに表示される（図示せず）。この案内ページには、図８に示すように、広告主に対して、懸賞参加情報が、懸賞参加用アドレスと、登録コードとから構成されていること、懸賞参加用アドレスの説明、登録コードの説明、懸賞参加用アドレス、及び、登録コードの賃貸によって発生する料金、及び、該料金の支払方法の説明、懸賞参加情報によって収集される懸賞広告に対する消費者の情報、懸賞に参加した消費者への賞金や賞品の支給方法、当システムの懸賞広告による経費節減、消費者の情報収集の効率化、広告媒体に対する消費者の意識改革などの効果の説明が掲載されている。
【００２４】
そして、案内ページの終わりには、以下に説明する登録処理及び契約申し込みの処理ページに移行するためのメニューが表示され、このメニューをクリックすると、図７に示す登録処理及び契約申し込みの処理ページが表示される。登録処理としては、広告主の名前、住所、電話番号、ＦＡＸ番号、メールアドレス、業種、担当者の氏名、担当部署などを入力する。契約申し込み処理としては、広告媒体に掲載する懸賞参加情報を、賃貸料金、使用料金、基本料金の支払いを承諾した上で、賃貸契約を申し込む。
【００２５】
この懸賞参加情報は、上述したように図８に示す懸賞参加用アドレスと、登録コードとから構成されている。懸賞参加用アドレスは、消費者が懸賞広告の抽選に応募するためのもので、消費者が当サイトのトップページにアクセスされる。さらに、懸賞参加用アドレスは、各広告主に対し共通して賃貸発行される。登録コードは、登録年月、登録された広告主の識別、広告主自身による広告媒体の識別を行うため、及び、図９に示す抽選コードを懸賞に応募してきた消費者に発行するためのものである。例えば、鹿児島県の食料品会社の支店が２００３年４月に登録した場合、鹿児島県の識別番号が１１、食料品会社の本社の識別番号が１０２１２、鹿児島支店の識別番号が０１１であれば、「１１−０３０４−１０２１２−０１１」となる。さらに、登録コードの末尾３桁は、広告媒体の識別条件によって賃貸発行本数が広告主によって決定される。ここでいう、広告媒体の識別条件とは、広告媒体の種類、配布地域（営業担当地域）、営業担当者、広告日、商品別、経営分析を行うための識別などである。
【００２６】
さらに、懸賞参加情報の懸賞参加用アドレスの契約申し込みは、必須要件であり、懸賞参加用アドレスの契約申し込みがない場合には、登録コードのみの契約申し込みはできないようになっている。登録コードは、上述したように広告主が必要とする本数に応じて申し込みを行う。加えて、懸賞参加用アドレスは、その契約申し込みによって、契約時における賃貸料金の支払い義務が発生する。登録コードは、契約時における賃貸料金の他、抽選処理後において、登録コードの使用料金と、基本料金に消費者がアクセスしてきた人数分を乗じた金額との支払い義務が発生する。即ち、広告主は、懸賞参加用アドレスの賃貸料金と、登録コードにおける賃貸料金＋（基本料金×アクセスした消費者の人数分）とを、仲介業者に対して支払うことになる。この支払い通知メール（図１１参照）は、賃貸料金支払い通知部、及び、使用料金支払い通知部によって行われる。
【００２７】
そして、登録処理及び契約申し込み処理ページにおいて、上述した必要事項に入力した後、データ送受信部により、図１２に示す契約・登録完了のメールが広告主に送信される。
【００２８】
なお、仲介業者と広告主との正式契約が成立するのは、仲介業者が、広告主からの賃貸料金、使用料金などの入金振り込みを確認した後であり、図１２に示すように、契約成立の証として、懸賞参加情報発行部において発行された懸賞参加用アドレス、登録コード、並びに、パスワード発行部において発行されたパスワードの記載されたメールがデータ送受信部より広告主に送信される。各料金の支払いは、仲介業者の指定する銀行や郵便局などの振込み口座において行われる。
【００２９】
広告主のリスト閲覧部は、例えば、Ｗｅｂページ表示部により、広告主リスト閲覧ページが表示される。この広告主リスト閲覧ページは、図１３に示すように、本システムの懸賞に参加している広告主の名称、住所、電話番号、ＦＡＸ番号、メールアドレス、担当者名、業種などが掲載される。
【００３０】
広告主のログイン認証部は、広告主が図４に示すトップページにおいて入力したパスワードと、データベースに蓄積された広告主の登録情報とを照合してアクセス許可を行う。そして、広告主は、パスワード入力によって、例えば、図２３に示す仲介業者及び広告主の管理ページ（広告主が閲覧可能な消費者リスト閲覧ページ）に移行できる。該管理ページには、広告主が賃貸契約した登録コードを取得した消費者の年齢、性別、希望情報が掲載されており、集計したアクセス人数も閲覧できるように構成されている。
【００３１】
消費者の登録処理部は、例えば、消費者が、懸賞広告の懸賞参加用アドレスによって、当サイトのトップページ（図４参照）にアクセスし、トップページに掲載されている登録ページのメニューを選択してクリックすると、Ｗｅｂページ表示部により、図１５に示す登録ページが表示され、消費者の名前、メールアドレス、希望パスワード、懸賞広告に掲載された登録コード、年齢、性別、職業、住所、電話番号、ＦＡＸ番号などの連絡先を入力する。そして、上述した各項目に必要事項が入力された後、データ送受信部により、図１６に示すように、登録日、希望パスワード、後述する抽選コードの記載された登録完了のメールが消費者に送信される。
【００３２】
消費者のログイン認証部は、消費者がトップページにおいて入力した希望パスワード、及び、懸賞参加用アドレスと、データベースに蓄積された消費者の登録情報とを照合してアクセス許可を行う。
【００３３】
抽選コード発行部は、消費者が入力した登録コードを抽選コードに変換し、上述した登録完了のメールに記載されて消費者に発行される。この抽選コードは、図９に示すように、文字や記号の組み合わせによって構成され、消費者が自己の責任を持って保管する。
【００３４】
抽選処理部は、消費者に対して所定期間内に発行された抽選コードを集計し、ネットワーク上で告示されている懸賞に応じて抽選処理を行う。なお、設定された懸賞の当選本数（例えば、一等が１本、二等が５本、三等が１０本）は、仲介業者が図２０に示す管理ページにおいて適宜決定してネットワーク１において告示はしない。
【００３５】
当選懸賞の送付通知及び受け取り確認部は、抽選に当選した消費者に対して賞品や賞金を送付の通知と、受領した当選者本人であるか否かを確認とを、データ送受信部よりメールで送信する（図１８（Ａ）、（Ｂ）参照）。そして、送信されたメールの確認事項は、メールに掲載されたページアドレスによって仲介業者の管理サーバ２に返信されるようになっている。
【００３６】
仲介業者のデータ管理部は、仲介業者のみが有するパスワードによってログインでき、例えば、Ｗｅｂページ表示部により、図１３に示す広告主リストの管理ページ、図１７に示す消費者リストの管理ページ、図２０に示す広告主からの入金、及び、懸賞の配分の管理ページ、図２２に示す消費者への通知メール、及び、懸賞応募した消費者の集計の管理ページ、図２３に示す広告主が閲覧可能な消費者リスト閲覧ページが表示される。
【００３７】
つぎに本発明の懸賞広告による顧客情報収集仲介システムの手続につき説明する。広告主が登録・契約申し込みする場合の手続きにつき、図６を参照して説明する。まず、図４のトップページにおいて、本システムの概要を読む。その後、広告主の案内ページに移行し、続いて、図７に示す登録・契約申し込みページに移行し、本システムの契約内容を読む。その後、図７の登録・契約申し込みページにおいて、企業名、所在地、電話番号、ＦＡＸ番号、メールアドレス、希望パスワード、代表者名、担当者名、業種、賃貸する懸賞参加用アドレス、及び、登録コードの本数を入力し、最後に、契約内容の理解の確認項目、及び、登録確認の項目をクリックすると、図１０に示す受付完了の通知メールが登録した広告主に送信される（ステップ１）。
【００３８】
この際、広告主は、懸賞参加用アドレス、及び、登録コードの賃貸料金の支払い義務が生じる。つぎに、図１１に示す支払い通知メールが広告主に送信され、広告主が支払い通知メールを受信する（Ｓ２）。そして、広告主は指定の振込口座に入金し（Ｓ３）、その後、即ち仲介業者による入金確認後、図１２に示すように、ログイン用のパスワード、懸賞参加情報（懸賞参加用アドレス、及び、登録コード）の掲載された登録・契約完了通知メールが広告主に送信され、広告主が受信して登録会員となる（Ｓ４）。登録された広告主は、図１３に示す広告主リストに記録されることになる。
【００３９】
そして、広告主は、図３に示すように、懸賞広告としての広告媒体、例えば、新聞の折り込み広告やインターネットのホームページに懸賞参加用情報を掲載して頒布する。さらに、抽選処理後において、抽選の応募期間における消費者のアクセスによって登録コードの使用料金の支払い義務が発生し、仲介業者から支払い通知メールが広告主に送信され、広告主が受信し（Ｓ５）、入金が行われる（Ｓ６）。
【００４０】
つぎに、消費者が登録する場合の手続きにつき、図１４を参照して説明する。消費者は、広告主によって頒布された懸賞広告から懸賞参加用アドレス、及び、登録コードを取得し（Ｓ１０）、懸賞参加用アドレスによって図４のトップページにアクセスする（Ｓ１１）。アクセスした消費者は、システムの概要を閲覧した後、図５（Ａ）の抽選内容の閲覧ページを閲覧し、一等、二等、三等の各賞金を確認したり、図５（Ｂ）の当選者リストを閲覧したりする。つぎに、図１５に示す消費者の登録ページに移行し、名前、メールアドレス、希望パスワード、登録コード、年齢、性別、職業、住所、連絡先を入力すると共に、希望情報（例えば、懸賞広告に対する意見、感想など）を入力して登録する（Ｓ１２）。登録された消費者は、図１７に示す消費者リストに記録されることになる。この際、消費者の個人情報のうち年齢、性別などは、承諾の上、広告主の顧客管理のデータとして管理される。その後、登録された消費者に対して、図１６に示す登録完了の通知メールが送信される。この通知メールには、図９に示すように、登録コードに合わせて発行された抽選コード、及び、希望パスワードが掲載されている（Ｓ１３）。そして、消費者は、抽選処理が行われるまで待つことになる。
【００４１】
つぎに、管理サーバ２の抽選処理部において、例えば、月一回、抽選処理が行われる（Ｓ１４）。即ち、消費者の抽選コードを無作為に選択して当選者を決定し（Ｓ１５）、当選懸賞の送付通知部より、当選した消費者に対して当選懸賞の発送通知が成される。この際、消費者は、例えば、図１８（Ａ）に示す規定額以上（一万円以上）の当選者、図１８（Ｂ）に示す規定額未満（一万円未満）の当選者にそれぞれ当選者通知メールを受信する（Ｓ１６）。一万円以上の当選者の当選者通知メールには、登録コードの確認と、広告主の名前の確認とを行うためのページアドレスが掲載されている。一万円未満の当選者の当選者通知メールには、懸賞参加用アドレス、登録コードの確認を行うためのページアドレスが掲載されている。このページアドレスによって、仲介業者は、いずれの当選者に対しても本人であるか否かを確認できるようになる。そして、当選者は、仲介業者から発送される賞金や賞品を受け取った後、図示しない受取確認の返信用メールが管理サーバから広告主に成される（Ｓ１８）。さらに、当選者に対して発送される懸賞の費用は、広告主から支払われた契約時の料金と、抽選処理後の料金との合計された費用の一部又は全てから宛がわれる。なお、抽選から外れた消費者は、敗者復活戦が行われる（Ｓ１９）。
【００４２】
つぎに、仲介業者のデータ管理部における管理フロー、及び、管理ページについて、図１９〜図２２参照して説明する。まず、広告主に対して、図１９に示すように、参加した広告主の登録処理を行うと共に（Ｓ２０）、登録された広告主の集計を行い（Ｓ２１）、広告主のリストを作成する（Ｓ２２）。一方、賃貸料金の支払い通知メールを送信し（Ｓ２３）、広告主からの賃貸料金の入金確認を行った（Ｓ２４）後、懸賞参加用情報、及び、登録コードを発行する（Ｓ２５）。この際、広告主との契約成立を確認した（Ｓ２６）後、前記広告主リストに記録する。続いて、抽選応募期間における広告主の集計を行う（Ｓ２７）と共に、使用料金の支払い通知を行い（Ｓ２８）、広告主からの賃貸料金の入金確認を行って（Ｓ２９）、懸賞に合わせて本数を決定して配分する（Ｓ３０）。
【００４３】
広告主からの契約時の送信メール、及び、賃貸料金の入金は、仲介業者の管理ページにおいて記録される。例えば、図２０に示すように、ある月の抽選において、一人の広告主に対して、支払い通知メール送信、及び、入金の確認項目への記録、契約時、及び、抽選処理後に発生した料金の記録、これら合計金額の記録が行われる。そして、参加した広告主全員において、前述した記録が同様に行われると共に、参加した広告主全員の人数記録、総計金額の記録、懸賞に合わせて決定された本数の入力の記録、その配分の金額の記録、総計金額から配分の金額を差し引いた残額の記録がおこなわれる。よって、各月の抽選の記録より年間の集計も管理されることになる。
【００４４】
つぎに、消費者に対して、図２１に示すように、懸賞に応募してきた消費者の登録処理を行う（Ｓ４０）と共に、消費者が入力した登録コードを抽選コードに変換して発行し（Ｓ４１）、その確認を行った後、抽選処理をし（Ｓ４２）、図４に示す懸賞に合わせて当選者を決定する（Ｓ４３）と共に、当選者リストを作成する（Ｓ４４）。そして、各当選者に当選通知メールを送信し（Ｓ４５）、当選者本人であるか否かの確認を行い（Ｓ４６）、懸賞を発送する（Ｓ４７）。なお、当選者リストは、図４に示すトップページにおいて閲覧できるため、個人情報を保護すべく抽選コードのみを掲載する。一方、登録された消費者の集計を行うと共に、消費者のリストを作成する（Ｓ４８）。また、上述したように、作成された消費者リストのうち、年齢、性別、希望情報を抜粋して、図２３に示す広告主の管理ページを作成する（Ｓ４９）。この広告主の管理ページは、図４に示すトップページにおいて、広告主がパスワードを入力して、該広告主の賃貸契約した登録コードを取得して応募してきた消費者の上記情報が閲覧できるようになっている。
【００４５】
消費者への各送信メール、及び、懸賞の確認や発送は、仲介業者の管理ページにおいて記録される。例えば、図２２に示すように、ある月の抽選において、応募してきた各消費者に対し、抽選コードの発行、当選通知メール、当選者の本人であるか否かの確認、懸賞の発送のチェックがそれぞれ行われる。そして、応募人数の記録、当選者数の記録、敗者復活戦の人数の記録が行われる。
【００４６】
そして、図２２に示すように、年一回は、前記抽選から外れた消費者に対して、敗者復活戦としての抽選を行うようにしてもよい。
【００４７】
なお、前記実施形態の場合、毎月一回抽選を行うようにしたが、これに限定されるものではなく、抽選回数は、適宜変更可能である。また、抽選内容、即ち一等、二等、三等や賞金、賞品も適宜変更可能である。
【００４８】
さらに、本システムの各ページの画面構成は、図示に限定されず、適宜変更可能であることはいうまでもない。
【００４９】
加えて、広告主のみに管理画面を設けたが、消費者にも管理画面を設けるようにしてもよい。
【００５０】
【発明の効果】
以上説明したように、本発明の懸賞広告による顧客情報収集仲介システムは、広告主が、懸賞広告としての広告媒体に掲載される懸賞参加情報を仲介業者から賃貸することで、ネットワーク上において消費者を容易に募集参加させることができ、しかも、広告主自身が抽選を主催するに比して大幅に低減できる効果がある。さらに、懸賞の費用を参加した広告主の集計金額によって支払うことで、資金の大小に関係なく自由に参加できる。加えて、懸賞広告に応募してきた消費者の希望情報が、懸賞広告のデザインの検討に役立ち、イメージアップにもなり、知名度も高くなる一方、消費者の応募が少ない場合には、広告媒体の手法を再考するための経営戦術の参考にもなる。
【００５１】
また、懸賞広告に掲載された懸賞参加情報を、消費者が懸賞広告の抽選に参加するための必須の懸賞参加用アドレスと、登録された広告主の識別を行うための必須の登録コードとから構成し、懸賞参加用アドレス、及び、登録コードにそれぞれ賃貸料を課すことで、仲介業者及び広告主に対する利益が有効に賄えることができる。
【図面の簡単な説明】
【図１】本発明の懸賞広告による顧客情報収集仲介システムの概略構成図である。
【図２】本発明の懸賞広告による顧客情報収集仲介システムの概略説明図である。
【図３】広告主の懸賞広告を示した図である。
【図４】本システムのトップページを示した図である。
【図５】（Ａ）は、本システムの抽選案内のページを示した図、（Ｂ）は、本システムの当選者リストを示した図である。
【図６】広告主の手続フローを示した図である。
【図７】広告主の登録ページを示した図である。
【図８】広告主に発行する懸賞参加情報と、パスワードを示した図である。
【図９】消費者に発行する抽選コードと、パスワードを示した図である。
【図１０】広告主への受付完了通知メールを示した図である。
【図１１】広告主への支払い通知メールを示した図である。
【図１２】広告主への契約・登録完了通知メールを示した図である。
【図１３】広告主リストを示した図である。
【図１４】消費者の手続フローを示した図である。
【図１５】消費者の登録ページを示した図である。
【図１６】消費者への登録完了通知メールを示した図である。
【図１７】消費者リストを示した図である。
【図１８】（Ａ）は、一万円以上の懸賞当選通知メールを示した図、（Ｂ）は、一万円未満の懸賞当選通知メールを示した図である。
【図１９】仲介業者の広告主に対する管理フローを示した図である。
【図２０】仲介業者の広告主の管理ページを示した図である。
【図２１】仲介業者の消費者に対する管理フローを示した図である。
【図２２】仲介業者の消費者の管理ページを示した図である。
【図２３】仲介業者及び広告主の管理ページであって、広告主が閲覧可能な消費者リスト閲覧ページを示した図である。
【符号の説明】
１  ネットワーク
２  管理サーバ
３  広告主の端末装置
４  消費者の端末装置
【図１】
2004318471.tif 000003
【図２】
2004318471.tif 000004
【図３】
2004318471.tif 000005
【図４】
2004318471.tif 000006
【図５】
2004318471.tif 000007
【図６】
2004318471.tif 000008
【図７】
2004318471.tif 000009
【図８】
2004318471.tif 000010
【図９】
2004318471.tif 000011
【図１０】
2004318471.tif 000012
【図１１】
2004318471.tif 000013
【図１２】
2004318471.tif 000014
【図１３】
2004318471.tif 000015
【図１４】
2004318471.tif 000016
【図１５】
2004318471.tif 000017
【図１６】
2004318471.tif 000018
【図１７】
2004318471.tif 000019
【図１８】
2004318471.tif 000020
【図１９】
2004318471.tif 000021
【図２０】
2004318471.tif 000022
【図２１】
2004318471.tif 000023
【図２２】
2004318471.tif 000024
【図２３】
2004318471.tif 000025